(57)【要約】【課題】  標示情報を地図上で確認しながら入力可能にする。【解決手段】  本発明の携帯端末１は、地盤に設置される位置標示器１５の記憶素子１６に対し、当該位置標示器１５の設置位置情報を含む標示情報を外部から読み込み又は書き込みする標示情報読込書込部２と、前記標示情報が記憶される記憶部３と、多数の地図情報を管理する地図情報管理部５と、前記地図情報に基づく地図を表示可能な表示部６と、手動操作を入力可能な操作入力部７と、これらの各部を制御する制御部１０とを備え、制御部１０は、地図情報管理部５により地図情報を取り出し、該地図情報に基づく地図を表示部６に表示させ、該地図上における任意の位置を操作入力部７により入力させ、該入力された位置の情報を前記設置位置情報として記憶部３の標示情報に設定し、該記憶部３の標示情報を標示情報読込書込部２により記憶素子１６に対して書き込ませるように構成されている。【選択図】      図１
2010277076.tif 000002
【特許請求の範囲】
【請求項１】
地盤に対する定位置に存在する物体に設けられた記憶素子に対して、当該物体の存在位置情報を含む標示情報を外部から書き込みする標示情報書込部と、
前記標示情報が記憶される記憶部と、
多数の地図情報を管理する地図情報管理部と、
前記地図情報に基づく地図を表示可能な表示部と、
手動操作を入力可能な操作入力部と、
前記標示情報書込部、前記記憶部、前記地図情報管理部、前記表示部、及び前記操作入力部を制御する制御部とを備え、
前記制御部は、前記地図情報管理部により地図情報を取り出し、該地図情報に基づく地図を前記表示部に表示させ、該地図上における任意の位置を前記操作入力部により入力させ、該入力された位置の情報を前記存在位置情報として前記記憶部の標示情報に設定し、該記憶部の標示情報を前記標示情報書込部により前記記憶素子に対して書き込ませるように構成された標示情報のメンテナンス用携帯端末。
【請求項２】
測位システムから配信された信号により自装置の所在位置情報を算出する所在位置情報算出部を備え、
前記制御部は、前記所在位置情報を前記所在位置情報算出部に算出させ、前記地図情報管理部により該所在位置を含む地図情報を取り出し、該地図情報に基づく地図を前記表示部に表示させるとともに、該所在位置を前記地図上に表示させるように構成された請求項１記載の標示情報のメンテナンス用携帯端末。
【請求項３】
前記記憶素子に記憶された前記標示情報を外部から読み込みする標示情報読込部を備え、
前記制御部は、前記記憶素子に記憶された標示情報を前記標示情報読込部により読み込ませ、前記記憶部に記憶させるように構成された請求項１又は２記載の標示情報のメンテナンス用携帯端末。
【請求項４】
データを外部に出力する外部出力部を備え、
前記制御部は、前記記憶部に記憶された標示情報をデータとして前記外部出力部に出力させるように構成された請求項１〜３のいずれか一項に記載の標示情報のメンテナンス用携帯端末。
【請求項５】
データを外部から入力する外部入力部を備え、
前記制御部は、標示情報をデータとして外部から前記外部入力部に入力させ、該標示情報を前記記憶部に記憶させるように構成された請求項１〜４のいずれか一項に記載の標示情報のメンテナンス用携帯端末。
【請求項６】
地盤に対する定位置に存在する物体に設けられた記憶素子に対して、当該物体の存在位置情報を含む標示情報を外部から書き込みする標示情報書込部と、
前記標示情報が記憶される記憶部と、
多数の地図情報を管理する地図情報管理部と、
前記地図情報に基づく地図を表示可能な表示部と、
手動操作を入力可能な操作入力部と
を制御するコンピュータで実行される標示情報のメンテナンス用プログラムであって、
前記地図情報管理部により地図情報を取り出し、該地図情報に基づく地図を前記表示部に表示させ、該地図上における任意の位置を前記操作入力部により入力させ、該入力された位置の情報を前記存在位置情報として前記記憶部の標示情報に設定し、該記憶部の標示情報を前記標示情報書込部により前記記憶素子に対して書き込ませるように構成された携帯端末として、前記コンピュータを機能させるための標示情報のメンテナンス用プログラム。
【請求項７】
前記コンピュータは、測位システムから配信された信号により自装置の所在位置情報を算出する所在位置情報算出部を備え、
前記所在位置情報を前記所在位置情報算出部に算出させ、前記地図情報管理部により該所在位置を含む地図情報を取り出し、該地図情報に基づく地図を前記表示部に表示させるとともに、該所在位置を前記地図上に表示させるように構成された携帯端末として、前記コンピュータを機能させるための請求項６記載の標示情報のメンテナンス用プログラム。
【請求項８】
前記コンピュータは、前記記憶素子に記憶された前記標示情報を外部から読み込みする標示情報読込部を備え、
前記記憶素子に記憶された標示情報を前記標示情報読込部により読み込ませ、前記記憶部に記憶させるように構成された携帯端末として、前記コンピュータを機能させるための請求項６又は７記載の標示情報のメンテナンス用プログラム。
【請求項９】
前記コンピュータは、データを外部に出力する外部出力部を備え、
前記記憶部に記憶された標示情報をデータとして前記外部出力部に出力させるように構成された携帯端末として、前記コンピュータを機能させるための請求項６〜８のいずれか一項に記載の標示情報のメンテナンス用プログラム。
【請求項１０】
前記コンピュータは、データを外部から入力する外部入力部を備え、
前記制御部は、標示情報をデータとして外部から前記外部入力部に入力させ、該標示情報を前記記憶部に記憶させるように構成された携帯端末として、前記コンピュータを機能させるための請求項６〜９のいずれか一項に記載の標示情報のメンテナンス用プログラム。
【請求項１１】
地盤に対する定位置に存在する物体に設けられた記憶素子に対して、当該物体の存在位置情報を含む標示情報を外部から書き込みする標示情報書込部と、
前記標示情報が記憶される記憶部と、
多数の地図情報を管理する地図情報管理部と、
前記地図情報に基づく地図を表示可能な表示部と、
手動操作を入力可能な操作入力部とを使用し、
前記地図情報管理部により地図情報を取り出し、該地図情報に基づく地図を前記表示部に表示させ、該地図上における任意の位置を前記操作入力部により入力させ、該入力された位置の情報を前記存在位置情報として前記記憶部の標示情報に設定し、該記憶部の標示情報を前記標示情報書込部により前記記憶素子に対して書き込ませる標示情報のメンテナンス方法。
【請求項１２】
測位システムから配信された信号により自装置の所在位置情報を算出する所在位置情報算出部を使用し、
前記所在位置情報を前記所在位置情報算出部に算出させ、前記地図情報管理部により該所在位置を含む地図情報を取り出し、該地図情報に基づく地図を前記表示部に表示させるとともに、該所在位置を前記地図上に表示させる請求項１１記載の標示情報のメンテナンス方法。
【請求項１３】
前記記憶素子に記憶された前記標示情報を外部から読み込みする標示情報読込部を使用し、
前記記憶素子に記憶された標示情報を前記標示情報読込部により読み込ませ、前記記憶部に記憶させる請求項１１又は１２記載の標示情報のメンテナンス方法。
【請求項１４】
データを外部に出力する外部出力部を使用し、
前記記憶部に記憶された標示情報をデータとして前記外部出力部に出力させる請求項１１〜１３のいずれか一項に記載の標示情報のメンテナンス方法。
【請求項１５】
データを外部から入力する外部入力部を使用し、
標示情報をデータとして外部から前記外部入力部に入力させ、該標示情報を前記記憶部に記憶させる請求項１１〜１４のいずれか一項に記載の標示情報のメンテナンス方法。
【発明の詳細な説明】
【技術分野】
【０００１】
本発明は、地盤に対する定位置に存在する物体に設けられた記憶素子に記憶する標示情報をメンテナンスするためのメンテナンス用携帯端末、メンテナンス用プログラム、及びメンテナンス方法に関するものである。
【背景技術】
【０００２】
背景技術としては、杭に内蔵される記録タグ２１０に対して敷地情報の記録を行う際に使用される情報記録装置２１６（図１１参照）や、該記録タグ２１０より敷地情報の読み取りを行う際に使用される情報読み取り装置２２５（図１２参照）を例示する。
【０００３】
情報記録装置２１６は、主制御部２１７を有しており、主制御部２１７にはバス線２１７ａを介して、ディスプレイ等の表示部２１９、キーボード等の入力部２２０、磁気ヘッド制御部２２１、コード変換部２２２が接続されている。また、磁気ヘッド制御部２２１には公知の（即ち、電磁石式の）磁気ヘッド２２３が接続されている。この情報記録装置２１６を用いて、記録タグ２１０に敷地情報を非接触で記録するようになっている。
【０００４】
情報読み取り装置２２５は、主制御部２２６を有しており、主制御部２２６にはバス線２２６ａを介して、キーボード等の入力部２２７、ディスプレイ等の出力部２２９、コード変換部２３０、磁場発生制御部２３１、周波数検出部２３２、共振検知部２３５が接続されている。また、情報読み取り装置２２５は、コイルからなる送受信アンテナ２３３を有しており、送受信アンテナ２３３は、磁場発生制御部２３１及び共振検知部２３５の両方に接続されている。この情報読み取り装置２２５を用いて、敷地に設置された杭が内蔵する記録タグ２１０から敷地情報を非接触で読み取るようになっている。
【先行技術文献】
【特許文献】
【０００５】
【特許文献１】特開平７−３０６０４４号公報（段落００７４，００７５，図１１，図１２）
【発明の概要】
【発明が解決しようとする課題】
【０００６】
記録タグ２１０が内蔵された杭を地盤に対する定位置に設置する方法としては、まず、事前に記録タグ２１０内蔵の杭に対しその設置位置情報を情報記録装置２１６により記録しておき、現地に着いてからその設置位置を全地球測位システム（以下「ＧＰＳ」という）又は測量により探査して杭を設置するという方法が行われている。このとき、その設置位置に杭が設置できない場合（巨大な岩が存在したり、崖や急斜面になっていたりした場合等）には、もう一度同じ作業を繰り返す必要があり、作業効率に問題があった。
【０００７】
また、情報記録装置２１６への設置位置情報の設定は、数値入力により行っていたため、入力ミスが発生し易いという課題があった。また、入力された設置位置情報の確認作業も単純な数値の照合作業であったため、確認ミスが発生し易いという課題があった。
【０００８】
また、情報読み取り装置２２５によれば、記録タグ２１０から読み取られた設置位置情報は、該情報読み取り装置２２５のディスプレイ２２９に数値表示されるようになっている。このため、この設置位置情報を地理情報システム（以下「ＧＩＳ」という。）等の他のシステムで利用するためには、表示された数値を該他のシステムに数値入力し直さなければならず、手間がかかるとともに、入力ミスや確認ミスが発生し易いという課題があった。
【課題を解決するための手段】
【０００９】
上記課題を解決するために、第１の発明の標示情報のメンテナンス用携帯端末は、
地盤に対する定位置に存在する物体に設けられた記憶素子に対して、当該物体の存在位置情報を含む標示情報を外部から書き込みする標示情報書込部と、
前記標示情報が記憶される記憶部と、
多数の地図情報を管理する地図情報管理部と、
前記地図情報に基づく地図を表示可能な表示部と、
手動操作を入力可能な操作入力部と、
前記標示情報書込部、前記記憶部、前記地図情報管理部、前記表示部、及び前記操作入力部を制御する制御部とを備え、
前記制御部は、前記地図情報管理部により地図情報を取り出し、該地図情報に基づく地図を前記表示部に表示させ、該地図上における任意の位置を前記操作入力部により入力させ、該入力された位置の情報を前記存在位置情報として前記記憶部の標示情報に設定し、該記憶部の標示情報を前記標示情報書込部により前記記憶素子に対して書き込ませるように構成されている。
【００１０】
前記物体としては、特に限定されないが、位置標示器（例えば、杭、鋲等のほかに、壁や柱等の建築物に設けられる刻印やステッカー等。）、建築物等の人工物や、岩石、木等の自然物を例示する。前記物体の存在場所としては、特に限定されないが、地上、地中等の場所を例示する。前記物体に記憶素子を設ける態様としては、特に限定されないが、前記物体の内部に埋設した態様、前記物体の表面に固定（接着、ネジ止め、釘止め、連結等）した態様等を例示する。
【００１１】
この構成によれば、前記表示部に表示させた地図上における任意の位置を前記操作入力部に入力させ、該入力させた位置の情報を前記存在位置情報とするように構成されているので、前記存在位置情報を地図上で視覚的に確認しながら入力することができる。
【００１２】
第２の発明の標示情報のメンテナンス用携帯端末としては、前記第１の発明において、
測位システムから配信された信号により自装置の所在位置情報を算出する所在位置情報算出部を備え、
前記制御部は、前記所在位置情報を前記所在位置情報算出部に算出させ、前記地図情報管理部により該所在位置を含む地図情報を取り出し、該地図情報に基づく地図を前記表示部に表示させるとともに、該所在位置を前記地図上に表示させるように構成された態様を例示する。
【００１３】
前記所在位置情報算出部としては、特に限定されないが、次の態様を例示する。
（１）測位システムとしてのＧＰＳの測位衛星から配信された電波を受信することにより、自装置の所在位置情報を算出する態様。
（２）測位システムとしての地上の測位システム（例えば、光波測距儀、電波測距儀等の測距儀を利用したトータルステーションシステム等）の地上装置から配信された電波、電気、光等の信号を受信することにより、自装置の所在位置情報を算出する態様。
（３）前記（１）の態様及び前記（２）の態様を組み合わせた態様。
【００１４】
この構成によれば、前記所在位置情報算出部を備えているので、自装置の所在位置を含む地図を自動的に表示させることができる。
【００１５】
第３の発明の標示情報のメンテナンス用携帯端末としては、前記第１又は２の発明において、
前記記憶素子に記憶された前記標示情報を外部から読み込みする標示情報読込部を備え、
前記制御部は、前記記憶素子に記憶された標示情報を前記標示情報読込部により読み込ませ、前記記憶部に記憶させるように構成された態様を例示する。
【００１６】
この構成によれば、前記記憶素子に記憶された標示情報を読み込んで編集することができる。
【００１７】
第４の発明の標示情報のメンテナンス用携帯端末としては、前記第１〜３のいずれかの発明において、
データを外部に出力する外部出力部を備え、
前記制御部は、前記記憶部に記憶された標示情報をデータとして前記外部出力部に出力させるように構成された態様を例示する。
【００１８】
この構成によれば、前記標示情報を他のコンピュータ等の外部に対し容易に出力することができる。
【００１９】
第５の発明の標示情報のメンテナンス用携帯端末としては、前記第１〜４のいずれかの発明において、
データを外部から入力する外部入力部を備え、
前記制御部は、標示情報をデータとして外部から前記外部入力部に入力させ、該標示情報を前記記憶部に記憶させるように構成された態様を例示する。
【００２０】
この構成によれば、他のコンピュータ等の外部から前記標示情報を容易に入力することができる。
【００２１】
また、第６の発明の標示情報のメンテナンス用プログラムは、
地盤に対する定位置に存在する物体に設けられた記憶素子に対して、当該物体の存在位置情報を含む標示情報を外部から書き込みする標示情報書込部と、
前記標示情報が記憶される記憶部と、
多数の地図情報を管理する地図情報管理部と、
前記地図情報に基づく地図を表示可能な表示部と、
手動操作を入力可能な操作入力部と
を制御するコンピュータで実行される標示情報のメンテナンス用プログラムであって、
前記地図情報管理部により地図情報を取り出し、該地図情報に基づく地図を前記表示部に表示させ、該地図上における任意の位置を前記操作入力部により入力させ、該入力された位置の情報を前記存在位置情報として前記記憶部の標示情報に設定し、該記憶部の標示情報を前記標示情報書込部により前記記憶素子に対して書き込ませるように構成された携帯端末として、前記コンピュータを機能させるためのものである。
【００２２】
この構成によっても、第１の発明と同様の効果が得られる。
【００２３】
第７の発明の標示情報のメンテナンス用プログラムとしては、第６の発明において、
前記コンピュータは、測位システムから配信された信号により自装置の所在位置情報を算出する所在位置情報算出部を備え、
前記所在位置情報を前記所在位置情報算出部に算出させ、前記地図情報管理部により該所在位置を含む地図情報を取り出し、該地図情報に基づく地図を前記表示部に表示させるとともに、該所在位置を前記地図上に表示させるように構成された携帯端末として、前記コンピュータを機能させるためものを例示する。
【００２４】
この構成によっても、第２の発明と同様の効果が得られる。
【００２５】
第８の発明の標示情報のメンテナンス用プログラムとしては、第６又は７の発明において、
前記コンピュータは、前記記憶素子に記憶された前記標示情報を外部から読み込みする標示情報読込部を備え、
前記記憶素子に記憶された標示情報を前記標示情報読込部により読み込ませ、前記記憶部に記憶させるように構成された携帯端末として、前記コンピュータを機能させるためのものを例示する。
【００２６】
この構成によっても、第３の発明と同様の効果が得られる。
【００２７】
第９の発明の標示情報のメンテナンス用プログラムとしては、第６〜８のいずれかの発明において、
前記コンピュータは、データを外部に出力する外部出力部を備え、
前記記憶部に記憶された標示情報をデータとして前記外部出力部に出力させるように構成された携帯端末として、前記コンピュータを機能させるためのものを例示する。
【００２８】
この構成によっても、第４の発明と同様の効果が得られる。
【００２９】
第１０の発明の標示情報のメンテナンス用プログラムとしては、第６〜９のいずれかの発明において、
前記コンピュータは、データを外部から入力する外部入力部を備え、
前記制御部は、標示情報をデータとして外部から前記外部入力部に入力させ、該標示情報を前記記憶部に記憶させるように構成された携帯端末として、前記コンピュータを機能させるためのものを例示する。
【００３０】
この構成によっても、第５の発明と同様の効果が得られる。
【００３１】
また、第１１の発明の標示情報のメンテナンス方法は、
地盤に対する定位置に存在する物体に設けられた記憶素子に対して、当該物体の存在位置情報を含む標示情報を外部から書き込みする標示情報書込部と、
前記標示情報が記憶される記憶部と、
多数の地図情報を管理する地図情報管理部と、
前記地図情報に基づく地図を表示可能な表示部と、
手動操作を入力可能な操作入力部とを使用し、
前記地図情報管理部により地図情報を取り出し、該地図情報に基づく地図を前記表示部に表示させ、該地図上における任意の位置を前記操作入力部により入力させ、該入力された位置の情報を前記存在位置情報として前記記憶部の標示情報に設定し、該記憶部の標示情報を前記標示情報書込部により前記記憶素子に対して書き込ませる。
【００３２】
この構成によっても、第１の発明と同様の効果が得られる。
【００３３】
第１２の発明の標示情報のメンテナンス方法としては、第１１の発明において、
測位システムから配信された信号により自装置の所在位置情報を算出する所在位置情報算出部を使用し、
前記所在位置情報を前記所在位置情報算出部に算出させ、前記地図情報管理部により該所在位置を含む地図情報を取り出し、該地図情報に基づく地図を前記表示部に表示させるとともに、該所在位置を前記地図上に表示させる態様を例示する。
【００３４】
この構成によっても、第２の発明と同様の効果が得られる。
【００３５】
第１３の発明の標示情報のメンテナンス方法としては、第１１又は１２の発明において、
前記記憶素子に記憶された前記標示情報を外部から読み込みする標示情報読込部を使用し、
前記記憶素子に記憶された標示情報を前記標示情報読込部により読み込ませ、前記記憶部に記憶させる態様を例示する。
【００３６】
この構成によっても、第３の発明と同様の効果が得られる。
【００３７】
第１４の発明の標示情報のメンテナンス方法としては、第１１〜１３のいずれかの発明において、
データを外部に出力する外部出力部を使用し、
前記記憶部に記憶された標示情報をデータとして前記外部出力部に出力させる態様を例示する。
【００３８】
この構成によっても、第４の発明と同様の効果が得られる。
【００３９】
第１５の発明の標示情報のメンテナンス方法としては、第１１〜１４のいずれかの発明において、
データを外部から入力する外部入力部を使用し、
標示情報をデータとして外部から前記外部入力部に入力させ、該標示情報を前記記憶部に記憶させる態様を例示する。
【００４０】
この構成によっても、第５の発明と同様の効果が得られる。
【発明の効果】
【００４１】
本発明に係る標示情報のメンテナンス用携帯端末、メンテナンス用プログラム、及びメンテナンス方法によれば、地盤に対する定位置に存在する物体に設けられた記憶素子に記憶する標示情報を地図上で視覚的に確認しながら入力することができるという優れた効果を奏する。
【図面の簡単な説明】
【００４２】
【図１】本発明を具体化した一実施形態に係る標示情報のメンテナンス用携帯端末の構成を示すブロック図である。
【図２】同携帯端末の記憶部に記憶された標示情報テーブルの構成を示す図である。
【図３】同携帯端末の制御部で実行される標示情報書込処理の流れを示すフローチャートである。
【図４】同携帯端末の制御部で実行される標示情報読込処理の流れを示すフローチャートである。
【図５】同携帯端末の制御部で実行されるデータ出力処理の流れを示すフローチャートである。
【図６】同携帯端末の制御部で実行されるデータ入力処理の流れを示すフローチャートである。
【図７】同携帯端末の表示部により表示された地図を示す図である。
【図８】同携帯端末において、標示情報に含まれる基礎情報を表示又は編集する画面を示す図である。
【図９】同携帯端末において、標示情報に含まれるすべての設置位置情報を表示する画面を示す図である。
【図１０】同携帯端末において、表示情報に含まれる今回値の設置位置情報を編集する画面を示す図である。
【図１１】杭に内蔵される記録タグに対して敷地情報の記録を行うための従来の情報記録装置の構成を示すブロック図である。
【図１２】杭に内蔵される記録タグより敷地情報の読み取りを行うための従来の情報読み取り装置の構成を示すブロック図である。
【発明を実施するための形態】
【００４３】
図１〜図１０は本発明を具体化した一実施形態を示している。以下、本発明を、標示情報のメンテナンス用携帯端末１及びメンテナンス用プログラムに具体化した実施形態について、同端末１及びプログラムを使用して実施するメンテナンス方法とともに、図面を参照して説明する。本例では、「地盤に対する定位置に存在する物体」として、位置標示器１５を扱っている。
【００４４】
本発明の携帯端末１によるメンテナンス対象としての位置標示器１５は、図１に示すように、地盤に対する定位置に設置されるもの（例えば、杭、鋲等のほかに、壁や柱等の建築物に設けられる刻印やステッカー等。）で、記憶素子１６が設けられている。本例の記憶素子１６としては、例えば、電磁波を利用して情報を書き込んだり、読み出したりすることができるように構成された公知のＩＣタグを採用することを例示する。この記憶素子１６には、位置標示器１５の識別番号（以下「ＩＤ」という。）と、標示情報とが記憶されている。位置標示器１５のＩＤは、位置標示器１５ごとに固有に割り当てられた番号であり、外部から読み出しのみ可能に、即ち書きかえ不可能に記憶されている。また、位置標示器１５の標示情報は、外部から読み出し可能かつ書き込み可能に記憶されている。
【００４５】
本発明の携帯端末１は、図１に示すように、標示情報読込部及び標示情報書込部としての標示情報読込書込部２と、記憶部３と、所在位置情報算出部４と、地図情報管理部５と、表示部６と、操作入力部７と、データ変換部８と、外部入力部及び外部出力部としての外部入出力部９と、これらの各部を制御する制御部１０とを備えている。
【００４６】
標示情報読込書込部２は、地盤に対する定位置に設置される位置標示器１５に設けられた記憶素子１６に対して、該位置標示器１５の存在位置情報としての設置位置情報を含む標示情報を外部から読み込み又は書き込みするように構成されている。本例では、記憶素子１６として、電磁波を利用して情報を書き込み・読み出し可能なＩＣタグを採用しているので、これに対応した電磁波を発生させたり、電磁波を検出したりする手段を標示情報読込書込部２は備えている。
【００４７】
記憶部３は、前記標示情報が記憶される標示情報テープル２０と、地図情報管理部５に管理される多数の地図情報を含む地図情報データベース２１（以下、データベースを「ＤＢ」という）と、制御部１０で実行されるプログラム２２とを含んでいる。本例の標示情報テーブル２０は、図２に示すように、基礎情報と、初期値、前回値、及び今回値の設置位置情報とを含んでいる。基礎情報は、工事の名称が文字データで記憶される工事名と、工事の種類が文字データで記憶される工種と、測点の所在地が文字データで記憶される測点名と、杭の番号が数値データで記憶される杭番号を含んでいる。各設置位置情報は、Ｘ座標が数値データで記憶されるＸ座標値、Ｙ座標が数値データで記憶されるＹ座標値、Ｚ座標が数値データで記憶されるＺ座標値、これらの座標値が記憶された日付を表す文字データで記憶される日付を含んでいる。初期値は、最初に記憶された設置位置情報が残されるようになっている。前回値及び今回値については、新たな設置位置情報が記憶される際に、既に記憶されている前回値の内容が既に記憶されている今回値の内容で上書きされてから、新たな設置位置情報が今回値に記憶されるようになっている。言うまでもないが、本例の標示情報テーブル２０の構成や標示情報テーブル２０に記憶される各データの形式は、一例であって、これに限定されず、例えば、記憶素子１６の容量に応じて、適宜、３回未満又は４回以上の設置位置情報の履歴を記憶するように構成することも可能である。
【００４８】
所在位置情報算出部４は、ＧＰＳやトータルステーションシステム等の測位システム１７から配信された信号により自装置の所在位置情報を算出するように構成されている。
【００４９】
地図情報管理部５は、地図情報ＤＢ２１に含まれる多数の地図情報を管理し、指定位置を含む地図情報を取り出し可能に構成されている。本例では、地図情報ＤＢ２１を記憶部３に記憶させているが、これに限定されず、例えば、通信手段を介して接続された外部記憶装置やＤＢサーバ装置に記憶させておくように構成してもよい。
【００５０】
表示部６は、前記地図情報に基づく地図と、該地図上における指定位置を画面に表示可能に構成されている。
【００５１】
操作入力部７は、手動操作を入力可能に構成されている。操作入力部７としては、前記画面をタッチパネルとすることにより、ペン入力可能なものとして実現することを例示する。また、頻繁に使用されるカーソル移動用の矢印キーや入力確定用のキーをタッチパネルとは別に設けたり、フルキーボードを設けたりすることも可能である。
【００５２】
データ変換部８は、標示情報テーブル２０に記憶されたデータ形式と、他のＧＩＳで利用可能なデータ形式とを相互に変換するように構成されている。
【００５３】
外部入出力部９は、データを携帯端末１の外部に対し入出力するように構成されている。外部入出力部９としては、汎用インターフェース（ＵＳＢ（Universal Serial Bus）、シリアルポート、パラレルバス等）、有線又は無線の通信インターフェース（有線又は無線のＬＡＮ（Local Area Network）インターフェース、携帯電話インターフェース、Bluetooth（登録商標）インターフェース等）、外部記憶メディアドライブを介してデータを外部に対し入出力するように構成することを例示する。
【００５４】
制御部１０は、記憶部３に記憶されたコンピュータプログラムとしての標示情報書込処理３０、標示情報読込処理３１、データ出力処理３２、及びデータ入力処理３３を実行するように構成されている。
【００５５】
標示情報書込処理３０は、図３に示すように、前記所在位置情報を所在位置情報算出部４に算出させるステップＳ１０１と、地図情報管理部５により該所在位置を含む地図情報を取り出し、該地図情報に基づく地図を表示部６に表示させるとともに、該所在位置を前記地図上に表示させるステップＳ１０２と、該地図上における任意の位置を操作入力部７により入力させるステップＳ１０３と、該入力された位置の情報を設置位置情報（今回値）として標示情報テーブル２０に設定するステップＳ１０４と、標示情報テーブル２０に記憶された標示情報を編集するステップＳ１０５と、該標示情報テーブル２０に記憶された標示情報を読み出して標示情報読込書込部２により前記記憶素子１６に対して書き込ませるステップＳ１０６とを含んでいる。
【００５６】
なお、ステップＳ１０１において、測位システム１７から所在位置の算出に必要な信号が受信できない場合には、所在位置が算出できない旨のメッセージを表示部６に表示するとともに、例えば、所定の所在位置情報（デフォルト（初期設定値、工場出荷時値、標準値等）の所在位置情報、前回最後に算出された所在位置情報等）をステップＳ１０２以降で使用する。
【００５７】
ここで、図７〜図１０は、標示情報書込処理３０の実行中における表示部６への画面表示例を示している。図７は、ステップＳ１０２において表示される地図を示しており、同図中の中央に地図上における自装置の所在位置を星印で表示し、また、左上の小窓左側に地図の方位を示し、同小窓右側に自装置の所在位置のＸ座標、Ｙ座標、Ｚ座標を示している。図８は、ステップＳ１０５において表示される画面（標示情報の基礎情報を入力又は表示するための画面）を示しており、同図（ａ）は基礎情報が空のときの表示を示し、同図（ｂ）は基礎情報が設定済みのときの表示を示している。図９は、ステップＳ１０５において表示される画面（標示情報の設置位置情報の履歴を表示するための画面）である。図１０は、ステップＳ１０５において表示される画面（標示情報の設置位置情報（今回値）を入力するための画面）であり、本例では、図９の画面で入力ボタン４０を押すと、表示されるようになっている。また、本例では、図１０の画面で前回値複写ボタン４１を押すと、前回値のＸ座標データ、Ｙ座標データ、及びＺ座標データがそれぞれ今回値の入力エリア４２におけるＸ座標入力エリア、Ｙ座標入力エリア、Ｚ座標入力エリアに複写されるようになっている。
【００５８】
標示情報読込処理３１は、図４に示すように、記憶素子１６に記憶された標示情報を標示情報読込書込部２により読み込ませるステップＳ１２１と、読み込んだ標示情報の内容が空かどうかをチェックするステップＳ１２２と、読み込んだ標示情報の内容が空であった場合に標示情報を入力するステップＳ１２３と、該標示情報を標示情報テーブル２０に記憶させるステップＳ１２４と、地図情報管理部５により該標示情報における設置位置情報（今回値）を含む地図情報を取り出し、該地図情報に基づく地図を表示部６に表示させるとともに、該設置位置情報（今回値）を前記地図上に表示させるステップＳ１２５とを含んでいる。
【００５９】
ここで、ステップＳ１２３における画面表示例は、図８〜図１０と同様である。また、ステップＳ１２５における画面表示例は、図７と同様である（同図中の中央に地図上における設置位置情報（今回値）を星印で示すようにする）。
【００６０】
データ出力処理３２は、図５に示すように、標示情報テーブル２０に記憶されたデータをデータ変換部８により他のＧＩＳのデータ形式に変換するステップＳ１４１と、この変換後のデータを外部入出力部９に出力させるステップＳ１４２を含んでいる。
【００６１】
データ入力処理３３は、図６に示すように、他のＧＩＳのデータを外部入出力部９に入力させるステップＳ１６１と、入力したデータをデータ変換部８により標示情報テーブル２０のデータ形式に変換し、標示情報テーブル２０に記憶させるステップＳ１６２を含んでいる。
【００６２】
以上のように構成された本例のメンテナンス用携帯端末１、メンテナンス用プログラム、及びメンテナンス方法によれば、表示部６に表示させた地図上における任意の位置を操作入力部７に入力させ、該入力させた位置の情報を存在位置情報としての前記設置位置情報とするように構成されているので、該設置位置情報を地図上で視覚的に確認しながら入力することができる。
【００６３】
また、所在位置情報算出部４を備えているので、自装置の所在位置を含む地図を自動的に表示させることができる。
【００６４】
また、標示情報読込書込部２により、記憶素子１６に記憶された標示情報を読み込んで編集することができる。
【００６５】
また、外部入出力部９を備えているので、前記標示情報を他のコンピュータ等の外部に対し容易に出力したり、他のコンピュータ等の外部から前記標示情報を容易に入力したりすることができる。
【００６６】
なお、本発明は前記実施形態に限定されるものではなく、例えば以下に示すように、発明の趣旨から逸脱しない範囲で適宜変更して具体化することもできる。
（１）プログラム２２（又は、プログラム２２及び地図情報ＤＢ２１）をコンピュータ読み取り可能な記録媒体に記録し、該記録媒体を利用してプログラム２２（又は、プログラム２２及び地図情報ＤＢ２１）のインストール、プログラムの実行、プログラムの流通等を行うこと。
（２）所在位置情報算出部４を省いた構成とすること。この場合、例えば、記憶部３に所定の所在位置情報（デフォルト（初期設定値、工場出荷時値、標準値等）の所在位置情報、前回最後に算出された所在位置情報等）を記憶させておき、標示情報書込処理３０のステップＳ１０１の処理に代えて、この所定の所在位置情報を記憶部３から読み出し、これをステップＳ１０２以降で所在位置情報として使用するようにする。
（３）「地盤に対する定位置に存在する物体」として、自然物（岩石、木等）を扱うこと。例えば、岩石に対して記憶素子を設けることにより、浮石・転石調査（落石調査）が実施可能になり、木に対して記憶素子を設けることにより、森林調査（毎木調査）が実施可能になる。
浮石・転石調査及び森林調査は同様に実施可能なので、以下、浮石・転石調査についてのみ、さらに具体的に説明する。
従来、浮石や転石等の危険石がある区域の現地踏査を行う場合、調査員の歩測等により道路や河川からの距離で危険石の存在位置を特定し、さらにその危険石から周辺にある目印までの距離を測定する等の方法でデータ収集し地図化している。この方法では、個人差による精度差が大きく、また現場の経年変化等もあり後日その調査員以外の技術者がその危険石を探すのにはかなりの時間を要する。また、結果的に現地踏査した調査員にしか危険石を探すことができない問題点が発生する。
本発明のメンテナンス用携帯端末１を用いることにより、現地踏査で特定した危険石に対し、その場で特定した存在位置情報を含む標示情報を記憶させた記憶素子１６を貼付施工しておくことが可能になる。
そして、後日この危険石をトラッキングするときは、該危険石の標示情報を記憶させたメンテナンス用携帯端末１を現地に持参し、表示部６に表示された地図と照合しながら、該危険石を探すことができる。このため、危険石を特定した調査員以外の技術者でも非常に効率よく危険石を探すことが可能となる。さらにその場所で危険石の確認は、該危険石に記憶素子１６が貼ってあるので間違えもなく、時間的なロスとミスが少なくなる。
【符号の説明】
【００６７】
１  標示情報のメンテナンス用携帯端末
２  標示情報読込書込部
３  記憶部
４  所在位置情報算出部
５  地図情報管理部
６  表示部
７  操作入力部
８  データ変換部
９  外部入出力部
１０  制御部
１５  位置標示器
１６  記憶素子
１７  測位システム
２０  標示情報テーブル
２１  地図情報ＤＢ
２２  プログラム
３０  標示情報書込処理
３１  標示情報読込処理
３２  データ出力処理
３３  データ入力処理
４０  入力ボタン
４１  前回値複写ボタン
４２  今回値の入力エリア
【図１】
2010277076.tif 000003
【図２】
2010277076.tif 000004
【図３】
2010277076.tif 000005
【図４】
2010277076.tif 000006
【図５】
2010277076.tif 000007
【図６】
2010277076.tif 000008
【図７】
2010277076.tif 000009
【図８】
2010277076.tif 000010
【図９】
2010277076.tif 000011
【図１０】
2010277076.tif 000012
【図１１】
2010277076.tif 000013
【図１２】
2010277076.tif 000014